(57)【特許請求の範囲】
【請求項１】
指股仕切壁を有する靴中敷において、足の第１趾と第２趾と間に対応する位置に取付孔を形成したクッション性の中敷本体と、板状のベースに一体形成し垂直方向に立設した略直方体の壁の中に下方に開口し、その壁の前後の側縁と上縁とを閉塞した空間を形成して、前記第１趾と第２趾とでその壁の両側部を挟み込ませた際に、その両側壁の中央付近を空間内部へ窪ませて当該第１趾と第２趾の足指とを両側壁に広く密着させる仕切壁を有し、その素材を弾性材料とした指股仕切壁部材とを備え、その指股仕切壁部材を前記取付孔に挿入し、仕切壁を中敷上面より突出し嵌合させて中敷本体と指股仕切壁部材とを着脱自在としたことを特徴とする靴中敷。
【請求項２】
前記仕切壁は、その長手方向の側壁が第１趾及び第２趾の趾節骨間関節の側部表面を覆う広さからなり、また仕切り壁の外面角部は角を取り丸く形成したことを特徴とする請求項１記載の靴中敷。
【請求項３】
前記中敷本体は、足裏の第１趾〜第５趾と足裏本体との間の凹部に沿って中敷上面に凸条体を形成した請求項１乃至２記載の何れか一つの記載の靴中敷。
【請求項４】
前記中敷本体は、その踵部の表面を滑りにくい素材で上貼りし、またその踵部より前方部をそれより滑りやすい素材で上張りしたことを特徴とする請求項１乃至３の何れか１項記載の靴中敷。
【発明の詳細な説明】
【技術分野】
【０００１】
本発明は靴の中に地下タビのような指股仕切壁を形成し、運動機能性の向上や足指の障害を予防する靴の中敷に関するものである。
【背景技術】
【０００２】
従来、外反母指予防又は矯正用の靴において、靴底全体に敷くための軟質の中敷と、前記軟質の中敷のつま先部分に固定した硬質の底基板と、前記硬質の底基板に強固に固定され前記軟質の中敷の上面にほぼ垂直に立設し、第１趾と第２趾との間に入る保護基板からなり、前記軟質の中敷が適用サイズの靴に比して足幅方向に十分大きいことにより、使用者が自己の靴の大きさと母趾の位置に合わせて前記軟質の中敷を切ることにより、前記保護基板の位置を相対的に調整できるものが知られている。また、該保護板に指が触れても痛みが生じないように軟質な素材で形成した部品を嵌合させることも開示されている。（特許文献１）
【０００３】
この発明は、強固な底基板に立設した保護基板を設け、各人の靴のサイズや母指の位置に合わせて、前記保護基板の位置を相対的に調整することによって、痛みが生じることなく歩行ができ、より効果的に外反拇指の予防・矯正ができることを目的としたものである。
然しながら、一方ではこの発明の中敷は、保護基板には別に前記軟質な素材を準備しなければならず、また軟質の中敷が適用サイズの靴に対して足幅方向に大きければならないため、その分だけ中敷の材料がロスが生じコスト高となる欠点がある。
【０００４】
また、別の従来技術として、靴内の第１趾及び第２趾の趾間対応位置に、中底の表面より上方に向かって横断面略角丸長方形の趾間に挟み込む矯正柱体を垂立してなる外反拇指の矯正柱体を設けた靴が知られている。更には、該矯正柱体がその内側を中空に形成し、一層柔軟な柱体としてもよいことが開示されている。（特許文献２）
【０００５】
この発明は、普通の靴と同じ履用状態で外反拇指の大きな治療効果、並びに第１趾、第２趾の経路刺激による血行増進できる一方、前記中空の矯正柱はその上下部が開口しているので、指で挟みこんだ際、矯正体の側壁がほぼ平面状に窪むため指の表面の一部しか接することができず、そのため指のフィット感に満足できなかったり、またその上部の開口口から埃が侵入したりして中空の中が汚れるきらいがあった。
【０００６】
さらに、別の従来技術の趾股隔壁を有する中敷きにおいて、足の第１趾と第２趾との間の趾股部に対応する位置に、取付け位置調整代を有するスリットを設け、ほぼ長方形の固定用部材と一体的に形成した該趾股隔壁を、中敷き面上方へスリットから突出させ、且つ固定用部材が粘弾性を有し滑り難い素材であり、中敷き裏面の少なくとも爪先から踏み付け部分が、ループ状又は起毛・縮絨加工や植毛を施した表面を有する布又は不織布で覆われており、前記固定用部材と中敷き裏面とを着脱自在に固定した中敷が開示されている。また趾股隔壁の素材は柔らかい粘弾性素材を使用されることが開示されている。（特許文献３）
【０００７】
この発明は、中敷の先端部に趾股隔壁の取り付け位置を自分に合った位置に簡単に前後左右に調整でき、洗う場合や不要な場合は取り外しできる一方、中敷に取付け調整代のスリットが設けてあると共に趾股隔壁がループ状の布で固定されるため、使用中にずれが生じたりして、踏ん張り力がきかず履用感に満足できないきらいがあった。
【先行技術文献】
【特許文献】
【０００８】
【特許文献１】特開２００９−１１４２２号公報
【特許文献２】実開平５−６８３０５号公報
【特許文献３】特開２００４−３０５４０５号公報
【発明の概要】
【発明が解決しようとする課題】
【０００９】
従来の発明において、運動時の矯正体(趾股隔壁)と足指との擦れを和らげるために軟質の保護体を備えたものが開示されているが、それらによる摩擦熱を積極的に放熱すると共に冷却しようとするものはなかった。また、従来の矯正体(趾股隔壁)は足指表面に沿って一部しか密着しないので掴み感覚を満足させるものでなく、踏ん張り力を一層効果的に発揮できるものでなかった。さらには、靴内で足が前方へ滑ったりして足の股部が矯正体(趾股隔壁)に当たることがあり、履用感が悪くなる懸念があった。
【００１０】
本発明の靴中敷は、趾股仕切壁の内部に下方に開口した空間を設けたことで、趾股仕切壁の両側壁を空間内側に窪ませ指の形状に沿わせることで指の当たり面積を増やし、掴み感覚及び踏ん張り力が効果的に向上させると共に仕切壁と足指と摺接による発生する摩擦熱を仕切壁から内側の空間へ伝導させると共にその空間には外部の空気が開口口より出入りし換気冷却されるため、指の擦れによる痛みの障害を未然に防止しようとするものである。
【００１１】
そして、本発明の靴中敷は、足裏の第１趾〜第５趾と足裏本体の凹部に沿って凸条体と、さらには踵部上面には滑りにくい繊維を設けることで靴内での足の滑りを防止して総合的に踏ん張り力を効果的に助長させるようにした。また、本発明は前記趾股仕切壁部材を靴中敷から取り外せることで新しいものとの交換や清掃したりして清潔に保持することができると共に、爪先幅が趾股仕切壁の空間横幅だけ狭くなることで足の足幅方向を微調整できるようにしたものである。
【課題を解決するための手段】
【００１２】
本発明の靴の中敷は、指股仕切壁を有する靴中敷において、足の第１趾と第２趾と間に対応する位置に取付孔を形成したクッション性の中敷本体と、板状のベースに一体に形成して垂直方向に立設した壁の中に下方に開口した空間を備えた仕切壁を有し、その素材が弾性材料からなる指股仕切壁部材を備え、その指股仕切壁部材を前記取付孔に挿入し仕切壁を中敷上面より突出し嵌合させることで中敷本体と指股仕切壁部材とを着脱自在とした。
【００１３】
これにより、この発明の靴中敷は靴に装着して歩行、走行した場合、指股仕切壁が弾性材料で成形されている共にその空間が前後の側縁と上縁とで閉塞された構造なので、指で挟み込まれた両側壁の中央付近が空間内部へ窪み第１趾及び第２指の側部表面に沿って最大面積で密着されるので、挟み込み力や踏ん張り力が効果的に向上される。
【００１４】
また、この発明の靴中敷は使用中での指と指股仕切壁の側壁との摺接による摩擦熱が仕切壁から空間へ通じて伝導放熱される共に仕切壁の空間へ下方の開口部から外気が入り込み換気され冷却されるので指の擦りむきやまめの発生が防止される。
【００１５】
指股仕切壁はその弾性材料としてポリ塩化ビニル、ポリプロピレンなどの合成樹脂又はＳＢＲ，ＢＲ，シリコーンゴムなどの合成ゴム使用される。また、その弾性材料の硬度は３０〜７０度(ＪＩＳ-Ａ)が設定され、硬度が３０度以下であれば、柔らかすぎて踏ん張り力が低下し、また７０以上であれば、硬すぎてフィット感が得られないきらいがある。
【００１６】
そして、前記仕切壁は、その長手方向の側壁が第１趾及び第２趾の趾節骨間関節の側部表面を覆う広さからなり、また仕切り壁の外面角部は角を取り丸く形成したことを特徴とする請求項１記載の靴中敷とした。
【００１７】
これにより、前記指股仕切壁部材の仕切壁の空間部の高さは第１趾の高さとほぼ同一高さからなり、また長手方向の幅が基節骨と末節骨との関節部に対応した幅からなるので、仕切壁の側壁が空間の内側へ窪んで第１趾の趾節骨間関節の側部全体を覆うように密着するので、確実に挟む込むことができる。また仕切壁の外面角部は角を取り丸く形成した設けたことで足指の仕切壁に足指を違和感なく挟み込みやすくなる。
【００１８】
そして、中敷本体は、足裏の第１趾〜第５趾と足裏本体との間の凹部に沿って中敷上面に凸条体を形成した請求項１乃至２記載の何れか一つの記載の靴中敷とした。
【００１９】
これにより、中敷本体は、足裏の第１趾〜第５趾と足裏本体との間の凹部に沿って中敷上面に凸条体により、より足裏の第１趾〜第５趾で凸条体を掴むことができより一層踏ん張り力が向上される。
【００２０】
前記中敷本体はその踵部の表面を滑りにくい素材で上張りし、またその踵部より前方の前半部を前記踵部の上張りより滑りやすい素材で上貼りしたことを特徴とする請求項１乃至３の何れか１項記載の靴の靴中敷とした。
【００２１】
踵部上張りの素材としては具体的にはポリエステル系繊維,アクリル系繊維、ポリアミド系繊維、ポリエチレン繊維、ポリ塩化ビニル繊維などの合成繊維の毛羽立った素材を使用し、一方前半部上張りは踵部より滑りやすい素材として前記同様の合成繊維などのメッシュ状繊維又は縦糸と横糸との間隔を粗くした繊維が使用される。
【００２２】
前記中敷本体の表面の前半部は踵部上張りより滑りやすい素材にしたことで履くときには足が抵抗なく足入れが良好になる一方、踵部を滑りにくい素材で上貼りしたことで着用時の前方への足の滑りが防止され、前記仕切壁に第１趾と第２趾の間の股部が当たることが防止される。
【発明の効果】
【００２３】
本発明の靴中敷は、板状のベースに第１趾と第２趾との間においてほぼ垂直に立設した略直方体突起の下方に開口した空間を設けた仕切壁により、該仕切壁の両側壁の中央が指側部表面に沿って空間へ窪むことで接触面積が最大で密着することになり指の挟み込み力を有効に向上させることが可能となる。また、本発明の靴中敷は、仕切壁の空間を介して指と仕切壁の側壁との摺接による摩擦熱を放熱冷却することができ、指への障害を未然に予防することができる。
【００２４】
そして、足裏の第１趾〜第５趾と足裏本体との間の凹部に沿って中敷上面に凸条体を形成したことで、足趾の把持力が一層助長し、蹴り動作を有効に向上させることができる。さらには、本発明の靴中敷はその踵部上面に滑りにくい素材を備えるもので、これにより靴内の足の前方へ滑りが防止されるため、第１趾と第２趾の股部が指股仕切壁に当たることがなく履用感が良好となる効果を有する。
【図面の簡単な説明】
【００２５】
【図１】本発明の靴中敷において、中敷本体に趾股仕切壁部部材を装着し、該仕切壁の一部を切り欠いた状態を中敷上面方向からみた斜視図である。
【図２】本発明の靴中敷を中敷下面方向からみた斜視図である。
【図３】本発明の靴中敷と足の骨との関係を示す説明図である。
【図４】図１におけるＸ−Ｘの断面図である。
【図５】図１におけるＹ−Ｙの断面図である。
【発明を実施するための形態】
【００２６】
以下、本発明の靴中敷の実施形態について説明する。靴中敷１０は中敷本体２０と趾股仕切壁部材３０からなる。図１及び図 ２に示すように、本発明の中敷本体２０は爪先部と不踏部との前方部と、踵部とが一体となった形状で、踵部の上面外周部は外周縁に向かって漸次肉厚に成形される。
【００２７】
前記中敷本体２０は、図１に示すように第１趾ａと第２趾ｂの間に対応する位置に趾股仕切壁部材３０の仕切壁３２を挿入し嵌合するための取付孔２１が形成され、その形状はほぼ長手方向の長孔形状からなる。また、該取付孔２１は、趾股仕切壁部材３０の仕切壁３２の下部の大きさより少し小さめに形成される。
【００２８】
これにより、靴中敷１０は図２に示すように趾股仕切壁部材３０を中敷本体２０の裏面側からに取付孔２１に挿入嵌合し一時仮に止めした状態で靴内に装着できる。また趾股仕切壁部材３０は、その嵌合状態の取付孔２１から嵌合状態を外して解除し中敷本体２０から取り外しできるようにして、中敷本体２０に趾股仕切壁部材３０を着脱自在にした。靴中敷本体２０はクッション性素材で成形され、具体的にはＥＶＡ発泡体からなり、アスカー硬度(Ｃタイプ)は約４０度〜４５度で設定される。
【００２９】
また中敷本体２０は、図１、図２に示すように足裏の第１趾ａ〜第５趾ｅと足裏本体ｆとの間の凹部ｇに沿って中敷上面に凸条体２２が中敷本体と一体成形される。
【００３０】
そして、本発明の靴中敷は図１に示すようにその踵部の上面には足の滑りにくい素材、例えば毛羽立ったポリエステル繊維で踵部上張り２４にし、またその他の前方部の上面にはそれより足の滑りやすい素材、例えばメッシュのポリエステル繊維を前方部上張り２３にした構造からなる。
【００３１】
趾股仕切壁部材３０は、図３に示すように第１趾ａ及び第２趾ｂにおいて末節骨ａ1，ｂ1と基節骨ａ2，ｂ2との間に対応する位置に設けられ、長手方向の内側壁３４ と外側壁３５と は第１趾ａ及び第２趾ｂの趾節骨間関節ａ3，ｂ３の側部表面を覆う広さに設定される。
【００３２】
該仕切壁３２は、図４に示すように具体的には靴が大人サイズであれば長手方向の縦幅Ｌが１５〜２５ｍｍ、横幅Ｗが４〜８ｍｍ、靴中敷表面からの高さＨが２０〜２５ｍｍの大きさに設定される。そして、空間の大ききは仕切壁３２の厚みＤを１．５〜３ｍｍと設定すると前記縦幅、横幅、高さの寸法より厚みの分だけ狭くなる大きさとなる。さらに、仕切壁３２はその外面角部の角を取り丸く形成した。
【００３３】
また、ベース３１はほぼ板状からなり、その面積は蹴り出し時の仕切壁３２を立設支持する意味から少なくとも第１趾〜第４趾の爪先部の広さが好ましい。また中敷本体２０は、その爪先下部においてそのベース３１が収納しその下面より突出しないようにベース３１の厚み分だけのヌスミが設けられる。
【００３４】
本発明の靴中敷１０は前記中敷本体２０の取付孔２１に趾股仕切壁部材３０の仕切壁３２に挿入嵌合して組み合わせたものを靴の履口から挿入し装着して使用される。また、不要の場合は靴からその靴中敷１０を取り出した後、中敷本体２０から趾股仕切壁部材３０を外して中敷本体２０のみを再度靴に装着して用いてもよい。また必要によっては、外した趾股仕切壁部材３０は新しいものと交換したり、清掃して用いられる。
【実施例】
【００３５】
本発明の靴中敷１０は、踵の上面を外周に沿って漸次肉厚にした形状からなり、第１趾ａと第２趾ｂとの間に対応する位置に趾股仕切壁部材３０の取付孔２１を形成する。また本発明の靴中敷１０は、その上面側に足裏の第１趾ａ〜第５趾ｅと足裏本体ｆとの間の凹部ｇに沿って横断するように約１mmの略弧状の凸条体２２を中敷本体と一体成形して設ける。そして、靴中敷１０はその素材を発泡ＥＶＡとし、アスカー硬度Ｃタイプ４０度とした。また靴中敷１０は踵部上面には毛羽立ったポリエステル繊維で、それより前方部にはメッシュ状のポリエステル繊維で上張りした。
【００３６】
また、前記趾股仕切壁部材３０の仕切壁３２は、その下部を開口し、内側壁３４、外側壁３５、前後側縁３６と上縁３７で閉鎖された空間３３を設けた略長方体形状とし、その長手方向の縦幅Ｌを２２ｍｍとし、また横幅Ｗを６．５ｍｍとし、中敷上面から高さＨを２０ｍｍとし、厚みＤを１．５ｍｍとした。また、その趾股仕切壁部材３０はその素材をＰＶＣとして、アスカー硬度ＪＡタイプ(ＪＩＳ６３０１)を７０度とした。また、仕切壁３２はその側壁３４,３５の中心を末節骨ａ1，ｂ1と基節骨ａ2，ｂ2との関節、即ち趾節骨間関節ａ3 ，ｂ3 の膨らんだ側部表面に対応するように設定される。
【００３７】
これにより、仕切壁３２は図５に示すように趾節骨間関節ａ3，ｂ3の膨らみ側部表面に沿って内側へ窪むことによって最大面積で密着されるので指の挟み感覚を一層向上させると共にフィット感が得られる。また、靴中敷10は仕切壁３２の上縁３７を指の上部に沿い前方へ前傾した形状に形成すれば、第１、第２趾の側面と仕切壁３２の側壁３４,３５との接触面積を最大に密着し増加させ、かつ仕切壁３２をコンパクトにすることで中敷自体の軽量化を図ることができる。また仕切壁３２はその外面角部の角を半径５ｍｍで取り丸く形成し、第１趾及び第２趾を挟み易くした。
【００３８】
また、仕切壁３２の内側壁３４、外側壁３５には空間３３へ小さな通気孔(図示せず)を設け放熱効率を挙げてもよい。さらには、仕切壁３２の内側壁３４、外側壁３５の外面には梨地模様など小突起(図示せず)を設けることで指と壁面との僅かな隙間に空気が入り込むことで発汗作用を抑制することができる。
【００３９】
さらに、本発明の靴中敷１０は、趾股仕切壁部材３０の仕切壁３２の中に下方に開口した空間３３を設けた構造なので、運動時に第１趾、第２趾と仕切壁３２との摺接による摩擦熱が仕切壁の側壁３４，３５を通じ空間３３へ伝導放熱され、さらにそれによって温まった空間３３の空気が開口口から入り込む空気で自然に換気されることで冷却されるため足指への障害が未然に防止された。
【００４０】
そして、中敷本体２０は、足裏の第１趾〜第５趾と足裏本体との間の凹部に沿って中敷上面に１mmの高さ、長手方向の幅10ｍｍの凸条体２２を設けた。これにより、本発明の靴中敷は足裏の第１趾〜第５趾で凸条体２２を掴むことができ一層踏ん張り力が向上された。
【００４１】
完成した靴中敷は、上記効果の他に踵部上張り２４によって使用中に靴内の足が前方へ滑ることがなく、また仕切壁３２に空間３３を設けても、第１趾及び第２趾とにより空間内側へ窪むために中敷の足幅を広げる必要がなく、それにより従来発生していた中敷材料ロスが無くなり、所望する効果を得ることができた。尚、本実施例では大人靴を挙げたが幼児靴、子供靴、婦人靴、紳士靴などのあらゆる靴の中敷に応用できるものである。
【符号の説明】
【００４２】
１０  靴中敷
２０  中敷本体
２１ 取付孔
２２ 凸条体
２３ 前方部上張り
２４ 踵部上張り
３０  趾股仕切壁部材
３１ ベース
３２ 仕切壁
３３ 空間
３４ 内側壁
３５ 外側壁
３６ 前後側縁
３７ 上縁
ａ 第１趾  ａ1末節骨 ａ2基節骨 ａ3趾節間関節
ｂ 第２趾  ｂ1末節骨 ｂ2基節骨 ｂ3趾節間関節
ｃ 第３趾
ｄ 第４趾
ｅ 第５趾
Ｈ 中敷上面からの趾股仕切壁の高さ
Ｌ 趾股仕切壁の縦幅
Ｗ 趾股仕切壁の横幅
Ｄ 趾股仕切壁の厚み
【図１】
0005825576.tif 000002
【図２】
0005825576.tif 000003
【図３】
0005825576.tif 000004
【図４】
0005825576.tif 000005
【図５】
0005825576.tif 000006